(57)【特許請求の範囲】
【請求項１】
記録に供する第１の情報以外に第２の情報をディスク状記録媒体に記録する光ディスク記録装置において、
第１の情報に応じて、所定の基本周期の整数倍の周期で信号レベルを切替えることにより、最小反転間隔が規定された第１の変調信号を生成する第１の変調信号作成手段と、
上記基本周期に従って上記第１の変調信号をサンプリングすることにより、上記第１の変調信号中の上記最小反転間隔の２倍を超える長さの所定のパターンを検出するパターン検出手段と、
第２の情報に応じて信号レベルを切替えることにより、第２の変調信号を生成する第２の変調信号作成手段と、
上記パターン検出手段の出力と、上記第２の変調信号作成手段の出力とに応じて、上記第１の変調信号の上記所定のパターンにおける信号を分割し、分割位置にて最小反転間隔よりも短い間、信号レベルを反転させる信号変換手段と、
上記信号変換手段の出力に従って記録光を変調する記録光変調手段とを有することを特徴とする光ディスク記録装置。
【請求項２】
請求項１において、
上記第２の変調信号作成手段は、
暗号化を施す手段を有することを特徴とする光ディスク記録装置。
【請求項３】
請求項１において、
上記記録光変調手段は、
上記信号変換手段の出力に従って、記録光としてのレーザー光をオンオフ制御するものであることを特徴とする光ディスク記録装置。
【請求項４】
順次ピットまたはマークを形成してトラックを形成し、上記ピットまたはマークによって所望のデータを記録する光ディスクにおいて、
最小反転間隔が規定されるように、ピットまたはマークの長さまたは間隔を変化させることにより記録された第１の情報と、
上記ピットの内、上記最小反転間隔の２倍を超えるものを分割して分割位置にて上記最小反転間隔よりも短い期間を形成することにより記録された第２の情報が記録されることを特徴とする光ディスク。
【請求項５】
請求項４において、
上記第２の情報は、
暗号化された状態で記録されていることを特徴とする光ディスク。
【請求項６】
記録に供する第１の情報と第２の情報とが最小反転間隔が規定される変調方式でもって同時に記録された光ディスクを再生する光ディスク再生装置において、
光学的読取り手段の出力を２値化する２値化手段と、
上記２値化手段の出力に基づいてクロックを生成するクロック生成手段と、
上記２値化手段の出力に基づいて第１の情報を復号する第１の復号手段と、
上記２値化手段の出力が上記最小反転間隔の２倍を超える期間にわたって所定の信号レベルとなる場合に、かかる出力の所定部分をサンプリングするサンプリング手段と、
上記サンプリング手段の出力を２値化する２値化して第２の情報を復号する第２の復号手段とを有することを特徴とする光ディスク再生装置。
【請求項７】
請求項６において、
上記第２の復号手段は、
上記第２の情報が記録される際に施された暗号化を解除する手段を有するものであることを特徴とする光ディスク再生装置。
【請求項８】
請求項６において、
復号された上記第２の情報に基づいて装置の動作を制御する手段をさらに有することを特徴とする光ディスク再生装置。
【請求項９】
請求項１、４または６において、
上記第２の情報は、
ディスク識別のための情報を含むことを特徴とする光ディスク記録装置、光ディスクまたは光ディスク再生装置。
【発明の詳細な説明】
【０００１】
【発明の属する技術分野】
この発明は、例えばコンパクトディスク作成等に用いられる光ディスク記録装置、例えばコンパクトディスク等の光ディスク、および例えばコンパクトディスクプレーヤー等の光ディスク再生装置に関する。
【０００２】
【従来の技術】
従来、コンパクトディスクにおいては、オーディオ信号およびＴＯＣ(Table Of Contents) 等のユーザによって利用される信号が記録される領域よりも内側の部分に、ディスク識別等の目的でメーカー、製造所およびディスク番号等を示す符号が刻印されていた。また、このような符号を、信号記録領域上に目視可能なパターンとして記録する方法も提案されている。
【０００３】
【発明が解決しようとする課題】
これらの方法によって記録されるメーカー、製造所およびディスク番号等を示す符号は、目視によって認識できるものである。このため、これらの符号をコンパクトディスク等を再生する再生装置が読取ることはできず、このため、これらの符号の内容を再生装置の動作制御に反映させることができないという問題があった。
【０００４】
従って、この発明の目的は、再生装置による読取りが可能であり、また、ユーザによって利用される通常の情報信号を損なわないようなディスク識別符号を光ディスクに記録することができる光ディスク記録装置、そのようなディスク識別符号の記録がなされた光ディスク、およびかかる光ディスクから通常の情報信号と共にディスク識別符号を再生することが可能な光ディスク再生装置を提供することにある。
【０００５】
【課題を解決するための手段】
請求項１の発明は、記録に供する第１の情報以外に第２の情報をディスク状記録媒体に記録する光ディスク記録装置において、
第１の情報に応じて、所定の基本周期の整数倍の周期で信号レベルを切替えることにより、最小反転間隔が規定された第１の変調信号を生成する第１の変調信号作成手段と、
基本周期に従って第１の変調信号をサンプリングすることにより、第１の変調信号中の最小反転間隔の２倍を超える長さの所定のパターンを検出するパターン検出手段と、
第２の情報に応じて信号レベルを切替えることにより、第２の変調信号を生成する第２の変調信号作成手段と、
パターン検出手段の出力と、第２の変調信号作成手段の出力とに応じて、第１の変調信号の所定のパターンにおける信号を分割し、分割位置にて最小反転間隔よりも短い間、信号レベルを反転させる信号変換手段と、
信号変換手段の出力に従って記録光を変調する記録光変調手段とを有することを特徴とする光ディスク記録装置である。
【０００６】
請求項４の発明は、順次ピットまたはマークを形成してトラックを形成し、ピットまたはマークによって所望のデータを記録する光ディスクにおいて、
最小反転間隔が規定されるように、ピットまたはマークの長さまたは間隔を変化させることにより記録された第１の情報と、
ピットの内、最小反転間隔の２倍を超えるものを分割して分割位置にて最小反転間隔よりも短い期間を形成することにより記録された第２の情報が記録されることを特徴とする光ディスクである。
【０００７】
請求項６の発明は、記録に供する第１の情報と第２の情報とが最小反転間隔が規定される変調方式でもって同時に記録された光ディスクを再生する光ディスク再生装置において、
光学的読取り手段の出力を２値化する２値化手段と、
２値化手段の出力に基づいてクロックを生成するクロック生成手段と、
２値化手段の出力に基づいて第１の情報を復号する第１の復号手段と、
２値化手段の出力が最小反転間隔の２倍を超える期間にわたって所定の信号レベルとなる場合に、かかる出力の所定部分をサンプリングするサンプリング手段と、
サンプリング手段の出力を２値化する２値化して第２の情報を復号する第２の復号手段とを有することを特徴とする光ディスク再生装置である。
【０００８】
以上のような発明によれば、ユーザが利用する通常の情報を記録する際に、所定の長さを越えるピットを形成するための信号パターンにディスク識別符号に関連して変更が加えられる。
【０００９】
このような変更が加えられた信号に基づいて記録が行われることにより、通常の情報信号を記録する領域内に、ディスク識別符号が記録される。
【００１０】
また、通常の情報信号が記録されている領域から、通常の情報信号と共に、ディスク識別符号が復号される。
【００１１】
【発明の実施の形態】
この発明の実施の一形態であるコンパクトディスクの作成について説明する。コンパクトディスクは、スタンパーを用いて作成されるディスク状基板に反射膜および保護膜等を形成することによって作成される。
【００１２】
スタンパーは、以下のような工程によって作成される。まず、記録用レーザービームを照射することによってディスク原盤を作成し、ディスク原盤を現像した後、さらに電鋳処理することによってマザーディスクを作成する。このマザーディスクを用いてスタンパーが作成される。
【００１３】
図１を参照して、この発明の実施の一形態である、コンパクトディスク原盤作成装置について説明する。ディスク原盤２がスピンドルモータ４によって回転駆動される。スピンドルモータ４は、スピンドルサーボ５によって制御される。
【００１４】
実際には、スピンドルモータ４の底部に設けられる図示しないＦＧ信号発生器によって、所定の回転角毎に信号レベルが立上がるＦＧ信号が出力される。スピンドルサーボ５は、このＦＧ信号の周波数が所定周波数になるようにスピンドルモータ４を駆動する。このようにして、ディスク原盤２が所定の回転数で回転駆動される。
【００１５】
一方、記録用レーザー７は、レーザービームＬを光変調器８に対して射出する。この記録用レーザー７は、例えばガスレーザー等によって構成される。光変調器８は、電気音響光学素子等によって構成されており、記録用レーザー７から入射するレーザービームＬを変調回路１３から供給されるＥＦＭ(Eight to Fifteen Nodulation) 信号Ｓ２に従ってオン／オフ制御して射出する。
【００１６】
ミラー１０は、レーザービームＬの光路を折り曲げて、ディスク原盤２に向けて射出する。対物レンズ１１は、このミラー１０の反射光をディスク原盤２の記録面上に集光する。ミラー１０および対物レンズ１１は、図示しないスレッド機構により、ディスク原盤２の回転に同期して半径方向に順次移動するようになされている。
【００１７】
このようにして、レーザービームＬの集光位置をディスク原盤２の例えば外周方向に順次変移させることにより、ディスク原盤２上にうず巻き状にトラックを形成することができる。そして、このトラック上にＥＦＭ信号Ｓ２およびディスク識別符号信号ＳＣ１の両方に対応してピットが順次形成される。
【００１８】
一方、ディスク原盤に記録されるオーディオデータＤ１がディジタルオーディオテープレコーダ３から変調回路１３に供給される。それと共に、変調回路１３は、図示しないサブコードジェネレータから，オーディオデータＤ１に対応するＴＯＣ情報等を含むサブコードデータを供給される。
【００１９】
変調回路１３は、これらのデータに基づいてコンパクトディスクについて規定されたデータ処理を行うことにより、ＥＦＭ信号Ｓ２を生成する。すなわち、オーディオデータＤ１およびサブコードデータに誤り訂正符号を付加した後にインターリーブ処理し、さらにＥＦＭ変調することによってＥＦＭ信号Ｓ２を生成する。このＥＦＭ信号Ｓ２が信号変換回路５７に供給される。
【００２０】
信号変換回路５７には、さらに、ディスク識別符号発生回路５１からディスク識別符号信号ＳＣ１が供給される。ディスク識別符号信号ＳＣ１は、例えばディスク原盤毎に固有なものとして設定されるＩＤ情報、製造工場に係る情報、製造年月日またはコピー可／不可を制御する情報等からなるディスク識別符号を記録するための信号である。
【００２１】
信号変換回路５７は、ＥＦＭ信号Ｓ２にディスク識別符号信号ＳＣ１を重畳させることによって変調信号ＳＴを生成し、光変調器８に供給する。変調信号ＳＴの生成は、以下に説明するように、ＥＦＭ信号Ｓ２によって記録される通常の情報を損なわないように行われる。
【００２２】
まず、ディスク識別符号信号ＳＣ１がレベル０である時には、ＥＦＭ信号Ｓ２がそのまま変調信号ＳＴとして出力される。一方、ディスク識別符号信号ＳＣ１がレベル１である時には、ＥＦＭ信号Ｓ２に基づいて形成されるピットの長さが検出される。そして、形成されるピットの長さが９Ｔ以上であると判定される場合には、１個のピットを２個のピットと１個のブランクに置換えるような変調信号ＳＴを出力する。
【００２３】
このような処理を実現する信号変換回路５７について、図２を参照して説明する。ＰＬＬ（Phase Lock Loop)部６０は、ＥＦＭ信号Ｓ２の最小変化単位Ｔ毎に変化するようなクロックＣＫ（図３Ｂ参照）を生成する。このクロックＣＫが直列に接続された１３個のラッチ回路６１Ａ〜６１Ｍに供給される。各ラッチ回路の動作タイミングは、クロックＣＫに従うものとされる。
【００２４】
１３個のラッチ回路６１Ａ〜６１Ｍは、ＥＦＭ信号Ｓ２をクロックＣＫに従うタイミングでサンプリングする。このようにして得られる連続する１３個のサンプリング結果に基づいて、ＥＦＭ信号Ｓ２の変化パターンが判定される。例えば、”００１１１１１１１１１００”というサンプリング結果が得られた場合には、長さ９Ｔのピットが形成されるパターンと判定することができる。
【００２５】
１３個のラッチ回路６１Ａ〜６１Ｍの出力が３個のアンドゲート６２、６３および６４に供給される。アンドゲート６２の入力端の内、６１Ａ、６１Ｂ、６１Ｌおよび６１Ｍに対応する端子には反転素子が設けられている。このような構成によって、アンドゲート６２は、ラッチ回路６１Ａ〜６１Ｍの出力が順に”００１１１１１１１１１００”である時に'1' を出力する。従って、アンドゲート６２によって長さ９Ｔのピットが検出される。
【００２６】
また、アンドゲート６３の入力端の内、ラッチ回路６１Ａ、６１Ｌおよび６１Ｍに対応する端子には反転素子が設けられている。このため、アンドゲート６３は、ラッチ回路６１Ａ〜６１Ｍの出力が順に”０１１１１１１１１１１００”である時に論理'1' を出力する。従って、アンドゲート６３によって長さ１０Ｔのピットが検出される。
【００２７】
さらに、アンドゲート６４の入力端の内、ラッチ回路６１Ａおよび６１Ｍに対応する端子には反転素子が設けられている。このため、アンドゲート６４は、ラッチ回路６１Ａ〜６１Ｍの出力が順に”０１１１１１１１１１１１０”である時に論理'1' を出力する。従って、アンドゲート６４によって長さ１１Ｔのピットが検出される。
【００２８】
アンドゲート６２、６３および６４の出力がオアゲート６５に供給される。オアゲート６５は、アンドゲート６２、６３または６４の出力の何れか１個が'1' である時、すなわち、ＥＦＭ変調方法において形成され得るピットの内、長さ９Ｔ以上のピットが形成される時に'1' となるような９Ｔ以上のピット検出信号（以下、検出信号と表記する）ＭＤを出力し、ナンドゲート６６に供給する。
【００２９】
また、ナンドゲート６６は、オアゲート６５から検出信号ＭＤを供給されると共に、ディスク識別回路５１からディスク識別符号信号ＳＣ１を供給される。そして、これら２つの信号の論理積を演算した後に論理を反転して出力する。ナンドゲート６６の出力がアンドゲート６７に供給される。
【００３０】
従って、ナンドゲート６６の出力は、検出信号ＭＤおよびディスク識別符号信号ＳＣ１が共に論理'1' とされる時にのみ論理'0' とされ、それ以外の場合には論理'1' とされる。すなわち、長さ９Ｔ以上のピットが形成されるような信号パターンが検出され、且つ、ディスク識別符号信号ＳＣ１が論理'1' である時にのみ、ナンドゲート６６の出力が論理'0' とされる。
【００３１】
一方、例えば７番目に接続されたラッチ回路６１Ｇがアンドゲート６７に７クロック分遅延したＥＦＭ信号（以下、遅延ＥＦＭ信号と表記する）ＳＤを供給するようになされている。アンドゲート６７は、この遅延ＥＦＭ信号ＳＤとナンドゲート６６の出力との論理積を演算し、演算結果を論理積信号ＳＸとして出力する。この論理積信号ＳＸが後段のラッチ回路６８によって波形整形され、信号変換回路５７の最終的な出力である変調信号ＳＴとされる。
【００３２】
ここでは、７番目に接続されたラッチ回路６１Ｇが７クロック分の遅延を有する遅延ＥＦＭ信号ＳＤを出力する構成としたが、他の位置に設けられるラッチ回路が遅延ＥＦＭ信号を出力する構成としても良い。この場合、遅延ＥＦＭ信号の遅延時間は、遅延ＥＦＭ信号を出力するラッチ回路の位置によって決まる。
【００３３】
上述の構成によって論理積信号ＳＸを生成する方法についてより詳細に説明する。まず、ディスク識別符号信号ＳＣ１が論理'1' である期間には、信号変換回路５７に供給されるＥＦＭ信号Ｓ２から形成されるピットの長さが調べられる。
形成されるピットの長さが９Ｔ以上であると判定された時には、検出信号ＭＤが論理'1' とされる。従って、ナンドゲート６６の出力が論理'0' とされるので、論理積信号ＳＸが強制的に論理'0' とされる。このようにして、ディスク識別符号信号ＳＣ１が論理'1' である期間には、ＥＦＭ信号ＳＤ中の長さ９Ｔ以上のピットを形成する信号パターンが２つのピットと１つのブランクを形成する信号パターンに変換される。
【００３４】
一方、ディスク識別符号信号ＳＣ１が論理'0' である場合には、上述したようにナンドゲート６６の出力が常に論理'1' とされるので、論理積信号ＳＸが遅延ＥＦＭ信号ＳＤと一致する。すなわち、遅延ＥＦＭ信号ＳＤ中に長さ９Ｔ以上のピットを形成する信号パターンがあっても、何らの変換も行われない。
【００３５】
ディスク識別符号信号ＳＣ１が論理'1' とされている期間になされる処理について、図３のタイミングチャートを参照してより具体的に説明する。図３Ａは、長さ９Ｔのピットが形成されるような信号パターンを含むＥＦＭ信号Ｓ２の一例を示している。図３Ｃ〜図３Ｆに示す各信号は、後述するように、ＥＦＭ信号Ｓ２に基づいて生成される。また、図３Ｂは、ＰＬＬ部６０が生成するクロックＣＫを示している。上述したように、ラッチ回路６１Ａ〜６１Ｍおよびラッチ回路６８の動作タイミングは、このクロックＣＫに従う。
【００３６】
図３Ｃは、遅延ＥＦＭ信号ＳＤを示している。上述したように、遅延ＥＦＭ信号ＳＤは、ＥＦＭ信号Ｓ２が７クロック分遅延したものである。また、図３Ｄは、検出信号ＭＤを示している。検出信号ＭＤは、遅延ＥＦＭ信号ＳＤが論理'1' とされる期間の略中央（すなわち、ＳＤが立上がった時点から４クロック後）において論理'1' とされる。
【００３７】
ディスク識別符号信号ＳＣ１が論理'1' とされているので、検出信号ＭＤが論理'1' とされる期間にはナンドゲート６６の出力が論理'0' とされる。従って、かかる期間において、アンドゲート６７の出力である論理積信号ＳＸが強制的に論理'0' とされる。このため、図３Ｅに示すように、論理積信号ＳＸは、長さ９Ｔのピットが形成されるような信号パターンの中央付近に論理'0' となる部分（スペース）が挿入されたものとされる。
【００３８】
ここでは、ＥＦＭ信号Ｓ２中に長さ９Ｔのピットが形成されるような信号パターンが含まれる場合について説明したが、長さ１０Ｔおよび１１Ｔのピットが形成されるような信号パターンを含むＥＦＭ信号Ｓ２が入力された場合にも同様な処理が行われる。従って、論理積信号ＳＸは、長さ９Ｔ以上のピットが形成されるような信号パターンが検出された場合に、かかる信号パターンの中央付近の長さ１Ｔの部分が強制的に論理'0' とされるものとされる。
【００３９】
ラッチ回路６８は、この論理積信号ＳＸをクロック単位でラッチすることによって波形整形し、図３Ｆに示すような、信号変換回路５７の最終的な出力である変調信号ＳＴを生成して光変調器８に供給する。光変調器８が変調信号ＳＴに従って記録用レーザー７からのレーザービームを制御することによって、記録原盤２への記録が行われる。
【００４０】
このようにして生成される変調信号ＳＴに従ってなされる記録により、ＥＦＭ信号Ｓ２によって記録されるべき通常の情報が損なわれないことを明確に示すために、再生時の処理について、図４を参照して説明する。図４Ａの右側には、ディスク識別符号信号ＳＣ１が論理'1' である場合に長さ９Ｔのピットが形成されるべき信号パターンが変換されて記録された、長さ４Ｔのピット２個およびそれらの間の長さ１Ｔのブランクとを模式的に示した。一方、図４Ａの左側には、かかる信号パターンが変換されない場合に形成される、長さ９Ｔのピットを比較のために示した。
【００４１】
各々から再生される再生ＲＦ信号を図４Ｂに示す。図４Ｂにおいて、４Ｔのピット２個およびそれらの間の１Ｔのブランクから再生される再生信号の信号レベルは、ブランクに対応する期間において低下する。但し、読取り光学系の読取りの性能、または両側の４Ｔのピットから再生される信号波形からの寄与によって、かかる期間においても信号レベルが後述する再生装置の２値化回路１５４において使用されるスレッシュホールドレベルＳＨＴ以上となる。
【００４２】
従って、４Ｔのピット２個およびそれらの間の１Ｔのブランクから再生される再生信号をスレッシュホールドレベルＳＨＴを用いて２値化すると、図４Ｃに示すように、長さ９Ｔのピットから再生される再生信号から得られるものと全く同一の２値化信号が得られる。このように、長さ９Ｔのピットを変更して記録しても、ＥＦＭ信号Ｓ２によって記録されるべき通常の情報は何ら影響を受けず、正しく再生されることがわかる。長さ１０Ｔおよび１１Ｔのピットが変更されて記録された場合にも、同様にして正しく再生される。
【００４３】
ところで、ＥＦＭ変調の性質から、ＥＦＭ変調信号Ｓ２に従って形成される各ピット間の間隔は３Ｔ以上とされ、各ピットの間においては、信号レベルがスレッシュホールドレベルＳＨＴ以下に確実に低下するようになされる。このため、長さ９Ｔ以上のピットを２分割して中央付近に１個のブランクを挿入したとしても、ＥＦＭ変調信号Ｓ２の本来のデータを読み誤る可能性は充分低い。
【００４４】
また、図４Ｄに示すタイミングで図４Ｂの再生信号からサンプリングを行うことにより、ディスク識別符号発生回路５１からのディスク識別符号信号ＳＣ１を再生することができる。このような再生が可能であることから、上述したような信号変換回路５７の動作によって、ＥＦＭ信号Ｓ２にディスク識別符号信号ＳＣ１を重畳させることができることがわかる。
【００４５】
次に、ディスク識別符号発生回路５１について説明する。ディスク識別符号発生回路５１は、例えば図５に示す構成によって実現される。図５において、Ｎ進カウンタ５４としてはリングカウンタが用いられ、発振器５３からの一定周波数の信号をカウントしてカウント値ＣＴ１をディスク識別符号テーブル５５に出力する。また、リングカウンタのカウント値が一巡した際には、リセット信号ＲＳＴをＭ系列発生回路５７に出力する。
【００４６】
ディスク識別符号テーブル５５は、ビット情報を保持するリードオンメモリ回路で構成され、カウント値ＣＴ１をアドレス入力にしてデータを出力する。このような出力に基づくビット情報は、フレーム同期信号として使用される一定のパターン情報（例えば連続する１１Ｔパターン等）、およびそれに後続してディスク原盤に記録される例えばディスク原盤に固有なＩＤ情報等である。
【００４７】
ディスク識別符号テーブル５５が出力するデータがスクランブル回路５６に供給される。スクランブル回路５６は、Ｍ系列発生回路５７と、エクスクルーシブ・オア回路５８で構成される。このエクスクルーシブ・オア回路５８の出力がディスク識別符号信号ＳＣ１とされる。ディスク識別符号信号ＳＣ１は、ディスク識別符号を暗号化したものである。Ｍ系列発生回路５７は、一般的な構成、すなわち複数のフリップフロップと、エクスクルーシブ・オア回路とから構成される。
【００４８】
エクスクルーシブ・オア回路５８は、ディスク識別符号テーブル５５の出力データと、Ｍ系列発生回路５７の出力とを供給される。そして、Ｍ系列発生回路５７の出力がレベル１である場合にはディスク識別符号テーブル５５の出力データを反転させる。また、それ以外の場合にはディスク識別符号テーブル５５の出力データをそのまま出力する。
【００４９】
但し、ディスク識別符号テーブル５５が同期信号を出力する期間には、リセット信号ＲＳＴがレベル１とされ、Ｍ系列発生回路５７の出力がレベル０に固定されることにより、同期信号の部分には、Ｍ系列発生回路５７によるスクランブルが施されないようになされる。
【００５０】
次に図６を参照して、ディスク識別符号が重畳記録されたコンパクトディスク４１を再生する再生装置１５０について説明する。コンパクトディスク４１は、スピンドルモータ１５１によって回転させられる。スピンドルモータ１５１および光ピックアップ１５３は、サーボ回路１５２によって所定の動作をするように制御される。光ピックアップ１５３が生成する再生ＲＦ信号は、２値化回路１５４およびディスク識別符号復号回路１７０に供給される。
【００５１】
２値化回路１５４は、供給される再生ＲＦ信号に基づく２値化を行って、２値化信号ＢＤを生成する。この２値化信号ＢＤがＥＦＭ復調回路１５６、ＰＬＬ部１５５およびディスク識別符号復号回路１７０に供給される。ＥＦＭ復調回路１５６は、２値化信号ＢＤを復調して８ビット単位の信号を生成し、生成した８ビット単位の信号をＥＣＣ回路１５７に供給する。
【００５２】
ＥＣＣ回路１５７は、記録時の符号化において付加されたＥＣＣ（Error Correcting Code)に基づいて、ＥＦＭ復調回路１５６の出力中の誤りを訂正する。このような誤りは、例えばコンパクトディスク４１上のディフェクト等に起因して生じるものである。
【００５３】
また、ＰＬＬ部１５５は、供給される２値化信号ＢＤに基づいて、チャンネルクロックＣＣＫを生成する。生成されたチャンネルクロックＣＣＫがＥＦＭ復調回路１５６およびディスク識別符号復号回路１７０に供給され、これらの動作タイミングを指令する。
【００５４】
一方、ディスク識別符号復号回路１７０は、供給される３個の信号すなわちチャンネルクロックＣＣＫ、２値化信号ＢＤおよび再生ＲＦ信号に基づいて、ディスク識別符号を復号する。復号されたディスク識別符号がＣＰＵ１５９（マイクロコンピュータ）に供給される。ＣＰＵ１５９は、このディスク識別符号に従って再生装置１５０の動作を制限する。例えば、Ｄ／Ａ変換器１５８のイネイブル端子を制御して、音楽信号の再生を中止する。
【００５５】
ディスク識別符号復号回路１７０について、図７を参照して説明する。再生ＲＦ信号およびチャンネルクロックＣＣＫがＡ／Ｄコンバーター１７１に供給される。Ａ／Ｄコンバーター１７１は、再生ＲＦ信号を８ビットのディジタル信号に変換し、例えばＦＩＦＯ(First In First Out)メモリで構成される遅延回路１７２に供給する。遅延回路１７２は、供給される信号に所定時間の遅延を与えて、８ビットラッチ回路１７３に供給する。
【００５６】
一方、２値化信号ＢＤおよびチャンネルクロックＣＣＫは、長さが９Ｔ以上のピットを検出する回路（以下、９Ｔ以上のピット検出回路と表記する）１７５に供給される。９Ｔ以上のピット検出回路１７５は、２値化信号ＢＤに基づいて、長さ９Ｔ以上のピットからの再生ＲＦ信号が得られたと判定した時に検出パルスを発生する。
【００５７】
遅延回路１７２の遅延量は、予め以下のように設定されている。すなわち、９Ｔ以上のピット検出回路１７５からの検出パルスが得られるタイミングと、遅延回路１７２の出力がピットの略中央に対応する再生信号が得られるタイミングとが一致するようになされる。遅延回路１７２の後段の８ビットラッチ回路１７３は、９Ｔ以上のピット検出回路１７５からの検出パルスに従って、８ビット単位でラッチを行う。
【００５８】
この結果、長さ９Ｔ以上のピットの略中央の再生信号が８ビットラッチ回路１７３にラッチされる。図４ＢおよびＤに示したように、長さ９Ｔ以上のピットから得られる信号の略中央は、上述したように、ディスク識別符号として記録された信号が反映されたものなので、８ビットラッチ回路１７３の出力は、ディスク識別符号に従って変化する。８ビットラッチ回路１７３の出力は、Ｄ／Ａ変換器７４に供給され、アナログ信号に変換される。
【００５９】
Ｄ／Ａ変換器７４の出力が２値化回路７６に供給される。２値化回路１７６は、供給される信号を所定のスレッシュホールドレベルと比較することによって、２値化信号ＢＤ２を生成する。２値化信号ＢＤ２は、逆スクランブル回路１７７、ＰＬＬ回路１７９および同期検出回路１７８に供給される。
【００６０】
逆スクランブル回路１７７は、２値化信号ＢＤ２に施されている暗号化の処理を再び行うことにより、暗号化された２値化信号ＢＤを解読可能な元の信号に変換する。この逆スクランブル回路１７７は、例えば、Ｍ系列発生回路２５７と、エクスクルーシブ・オア回路２５８とから構成される。
【００６１】
同期検出回路１７８は、２値化信号ＢＤ２に含まれる同期パターンを検出する。同期パターンが検出された時には、Ｍ系列発生回路２５７に対してリセット信号ＲＳＴを出力し、Ｍ系列発生回路２５７の内部状態をリセットする。
【００６２】
ＰＬＬ回路１７９は、２値化信号ＢＤ２の最小変化単位毎に変化するクロック信号ＣＫ２を生成する。このクロック信号ＣＫ２がＭ系列発生回路５７に供給され、その動作タイミングを制御する。
【００６３】
９Ｔ以上のピット検出回路１７５について、図８を参照してより詳細に説明する。２値化信号ＢＤが１３段のシフトレジスター８４Ａ〜８４Ｍに入力される。シフトレジスターを構成する各ラッチ回路８４Ａ〜８４Ｍには、チャンネルクロックＣＣＫが供給される。シフトレジスター８４Ａ〜８４Ｍの出力は、チャンネルクロックＣＣＫ毎にサンプリングされた２値化信号パターンを示すので、このパターンに基づいて９Ｔ以上のピットを検出することができる。
【００６４】
例えば、シフトレジスター８４Ａ〜８４Ｍの出力が”００１１１１１１１１１００”である場合には、９Ｔのピットが記録されていたことがわかる。また、かかる出力が”００１１１１１１１１１１０”である時には、１０Ｔのピットが記録されていたことがわかる。さらに，かかる出力が”０１１１１１１１１１１１０”である時には、１１Ｔのピットが記録されていたことがわかる。
【００６５】
長さが９Ｔ以上のピットの検出は、具体的には、アンドゲート８３、８４および８５によってなされる。例えば、アンドゲート８３は、両側に２個ずつ設けられる反転入力を行う端子を含め、シフトレジスターを構成する各ラッチ回路８４Ａ〜８４Ｍに対応する１３個の入力端を有する。従って、シフトレジスター８４Ａ〜８４Ｍの出力が”００１１１１１１１１１００”である場合に、論理'1' を出力し、それ以外の場合には'0' を出力する。従って、アンドゲート８３によって、長さが９Ｔのピットを検出することができる。
【００６６】
同様に、アンドゲート８４は、シフトレジスター８４Ａ〜８４Ｍの出力が”０１１１１１１１１１１００”である場合にのみ、論理'1' を出力し、また、アンドゲート８５は、シフトレジスター８４Ａ〜８４Ｍの出力が”０１１１１１１１１１１１０”である場合にのみ、論理'1' を出力するように構成されている。従って、アンドゲート８４および８５によって、それぞれ、長さが１０Ｔおよび１１Ｔのピットを検出することができる。
【００６７】
以上のような構成により、逆スクランブル回路１７７の出力には、重畳記録されていたディスク識別符号が復号されて現れる。そして、復号されたディスク識別符号がＣＰＵ１５９に供給され、このディスク識別符号に従って、ＣＰＵ１５９が再生装置１５０の機能を限定する。このようにして、例えば、再生装置１５０に装着された光ディスクが偽造されたものであるか否かを判定し、判定結果に基づいて再生装置の動作に制限を加える等、機能に係る制御が可能となる。
【００６８】
上述の実施の形態は、所定の長さ以上のピットにブランクを挿入して記録することによって、通常の情報信号にディスク識別符号を重畳させて記録するものである。これに対して、ディスク識別符号以外に、例えばユーザが利用する情報に直接関連する付加的情報等を重畳させるようにしても良い。
【００６９】
また、上述の実施の形態は、ＥＦＭ信号を１３チャンネルクロック毎にサンプリングし、サンプリング値に基づいて変化パターンを検出するようになされている。これに対して、サンプリングするチャンネルクロック数を増大させても良い。このようにすれば、より長い記録情報パターンに対応することができる。
【００７０】
また、上述の実施の形態は、ＥＦＭ変調方法を使用する記録において形成され得るピットの内、９Ｔ以上の長さのピットをブランクを挿入することにより、２分割することによってディスク識別符号を重畳させるようにしたものである。これに対して、長さ９Ｔ以上のピットに限らず、例えば８Ｔ以上の長さのピットを２分割することによってディスク識別符号等を重畳させるようにしても良い。
【００７１】
また、上述の実施の形態は、９Ｔ以上の長さのピットに１Ｔの長さのブランクを挿入することによって、かかるピットを２分割するものであるが、ブランクの長さは、通常の情報信号を損なわない長さであれば良い。例えば通常の情報信号がＥＦＭ信号である場合には、最小反転間隔が３Ｔなので、ブランクの長さを３Ｔより小さい長さ、例えば２Ｔ等に設定しても良い。
【００７２】
また、上述の実施の形態は、例えば９Ｔ以上の長さのピットを２分割することによってディスク識別符号を重畳させるようにしたものであるが、これとは反対に、例えば９Ｔ以上の長さのブランクを２分割することによってディスク識別符号等を重畳させるようにしても良い。
【００７３】
また、上述の実施の形態では、所定長以上のピットを分割する際に、かかるピットに挿入されるブランクの位置が略中央とされているが、ブランクを中央からずれた位置に挿入するようにしても良い。但し、通常の情報信号を損なわないように、例えばブランクの挿入によって分割された２個のピットの長さが何れも最小反転間隔以上となる等の条件を満たす必要がある。さらに、重畳されたディスク識別符号等を正しく復号するために、挿入されたブランクを検出するための検出パルスのタイミングがブランクの挿入位置に合わせて設定される必要がある。
【００７４】
また、この発明は、ＥＦＭ変調方法以外の変調方法、例えば比較的最近の光磁気ディスク（ＭＯ）において用いられるＲＬＬ（１，７）変調方法、または、ＤＶＤ（Digital Video Disc) において用いられる８−１６変調方法等を使用する光ディスク装置にも適用することができる。
【００７５】
さらに、この発明は、光ディスク、光ディスクに記録を行う光ディスク記録装置、および光ディスクを再生する光ディスク再生装置に適用できる。すなわち、コンパクトディスク以外にも、例えば光磁気ディスク（ＭＯ）、相変化型ディスクＰＤ、ＣＤ−Ｅ（CD-Erasable ）等の書き換え可能ディスク、ＣＤ−Ｒ等の追記型ディスク、ＣＤ−ＲＯＭ、ＤＶＤ等の読み出し専用ディスク等の光ディスクおよびこれらの光ディスクに記録および／または再生を行う、記録および／または再生装置に適用することが可能である。
【００７６】
また、この発明は、上述した実施の形態に限定されることなく、この発明の要旨を逸脱しない範囲で種々の応用および変形が考えられる。
【００７７】
【発明の効果】
この発明によれば、例えばＥＦＭ変調等の所定の変調が施された通常の情報信号と、例えばディスク原盤毎に設けられるＩＤ情報等のディスク識別符号等の変化パターンとに応じて変調信号を生成し、この変調信号に従って記録が行われる。このため、通常の情報信号にディスク識別符号等を重畳することができる。
【００７８】
また、この発明に係る光ディスク再生装置は、通常の情報信号を再生する再生系と共に、通常の情報信号に重畳されているディスク識別符号等を再生する再生系を有するので、通常の情報信号と共に、ディスク識別符号等を再生することができる。
【００７９】
このため、ディスク識別符号等が正しく含まれているか否かを再生時に判定することができる。判定結果に基づいて、例えば、偽造されたディスクであるか否かを判定することができる。また、判定結果に基づいて、再生装置の動作を制限する等の制御を行うことが可能となる。
【００８０】
さらに、ディスク識別符号等として、通常の情報信号以外に付加的な情報を記録することが可能となる。
【００８１】
また、ディスク識別符号は、スクランブル回路によって暗号化された上で記録されるので、暗号化に係る情報を知らなければ、再生時にディスク識別符号を復号することができない。従って、正規のディスク製造者が意図しない第３者によってディスク識別符号が複製されることを防止することができる。
【図面の簡単な説明】
【図１】この発明に係る光ディスク記録装置の実施の一形態であるコンパクトディスク原盤作成装置について説明するためのブロック図である。
【図２】図１に示したコンパクトディスク原盤作成装置の一部の構成について説明するためのブロック図である。
【図３】図１に示したコンパクトディスク原盤作成装置の動作において生成される信号について説明するためのタイミングチャートである。
【図４】この発明に係る光ディスクについて、その実施の一形態であるコンパクトディスクの再生について説明するための略線図である。
【図５】図１に示したコンパクトディスク原盤作成装置中の、図２に示したものとは別の一部の構成について説明するためのブロック図である。
【図６】この発明に係る光ディスク再生装置の実施の一形態であるコンパクトディスク再生装置について説明するための略線図である。
【図７】図６に示したコンパクトディスク再生装置の一部の構成について説明するためのブロック図である。
【図８】図６に示したコンパクトディスク再生装置の他の一部の構成について説明するためのブロック図である。
【符号の説明】
２・・・コンパクトディスク原盤、５１・・・ディスク識別符号発生回路、８・・・光変調回路、６１Ａ〜６１Ｍ・・・ラッチ回路、６２〜６４・・・アンドゲート、６５・・・オアゲート、６６・・・ナンドゲート、６７・・・アンドゲート、６８・・・ラッチ回路、５４・・・Ｎ進カウンタ、５５・・・ディスク識別符号テーブル、５６・・・スクランブル回路、５７・・・Ｍ系列発生回路、５８・・・エクスクルーシブ・オア回路、１５９・・・ＣＰＵ（マイクロコンピュータ）、１７０・・・ディスク識別符号復号回路、１７１・・・Ａ／Ｄコンバータ、１７２・・・ＦＩＦＯ（First In First Out) 、１７３・・・８ビットラッチ回路、１７５・・・９Ｔ以上のピット検出回路、１７６・・・２値化回路、１７７・・・逆スクランブル回路、１５７・・・Ｍ系列発生回路、５７・・・Ｍ系列発生回路、８４Ａ〜８４Ｍ・・・ラッチ回路、８１〜８３・・・アンドゲート、８０・・・オアゲート
【図１】
0003903536.tif 000002
【図２】
0003903536.tif 000003
【図３】
0003903536.tif 000004
【図４】
0003903536.tif 000005
【図５】
0003903536.tif 000006
【図６】
0003903536.tif 000007
【図７】
0003903536.tif 000008
【図８】
0003903536.tif 000009